(57)【特許請求の範囲】
【請求項１】
セパレータにより操作される可動接触子と該可動接触子と接離動作する固定接点とから成る接点部を主電路に介在させて、漏電発生時に前記セパレータが前記可動接触子を操作して前記接点部を開動作させて主電路を開放操作すると共に疑似漏電電流を生成するテスト回路を具備し、遮断器操作面に設けたテストボタンの操作により前記テスト回路のスイッチ部が閉動作して漏電遮断テストが可能な漏電遮断器において、
前記スイッチ部はテストボタンの押圧力により弾性変形する可動片と該可動片の一部に対向して接点を構成する固定片とから成り、前記可動片は前記セパレータに一端を固着し、他端を自由端としたことを特徴とする漏電遮断器。
【請求項２】
押圧したテストボタンが当接する部位が可動片の自由端である請求項１記載の漏電遮断器。
【発明の詳細な説明】
【０００１】
【発明の属する技術分野】
本発明は漏電遮断器に関し、詳しくは逆接続可能な漏電遮断器のスイッチ部の改良に関する。
【０００２】
【従来の技術】
漏電遮断器には、漏電発生時に確実に遮断動作するかどうか動作確認するためのテスト回路が設けられている。このテスト回路は、遮断器操作面に設けられたテストボタンを押圧操作することでテスト回路のスイッチ部がオンして疑似漏電電流を生成させ、遮断器が実際にトリップ動作するように構成されている。そして、このテスト回路は遮断動作後或いは遮断器オフの主電路開路状態でテストボタンの押圧操作により漏電電流が発生してしまうと故障の原因となってしまうので、主電路の遮断部位より負荷側に設けることで、主電路開放状態ではテストボタンを操作しても漏電電流が流れないように構成されている。
【０００３】
しかし、負荷側端子と電源側端子を限定しない逆接続可能な漏電遮断器の場合、主電路を開放しても上記構成ではテスト回路を設けた主電路が充電されたままとなる状態が発生するため、主電路の開閉を操作する操作ハンドルをオフとした状態或いは遮断器がトリップ動作した開放状態でもテストボタンの操作により疑似漏電電流が発生してしまう。
そこで、逆接続可能な漏電遮断器では、主電路開放状態でテストボタンを操作してもテスト回路そのものが閉回路にならないようにマイクロスイッチを設けたり、テストボタン動作を不能とする処置が成されていた。
【０００４】
図４はマイクロスイッチを設けて主電路開放時にテスト回路が作動しないようにした漏電遮断器の回路図を示し、２１は主電路、２２はテスト回路、２３はマイクロスイッチであり、主電路２１に設けられた接点部２４と共にマイクロスイッチ２３はトリップコイル２５の動作により開動作するようになっている。
このように、テスト回路にマイクロスイッチを介在させることで主電路開放時にはテスト回路を動作させないようになっている。尚、２６は漏電を検出する零相変流器、２７は回路基板、２８は図示しないテストボタンの押圧操作により動作するスイッチ部である。
【０００５】
図５、図６はテストボタンの動作を不能とする構成を示し、何れもカバーを外した漏電遮断器の要部説明図である。図５は主電路が導通状態である場合、図６は主電路を開放状態とした場合を示し、何れも（ａ）はテストボタン未操作の状態、（ｂ）はテストボタンを押圧操作した状態を示している。
図において、３１はテストボタン、３２はスイッチ部を構成する可動片、３３は可動片３２に対応する固定片、３４は図示しない可動接触子を操作するセパレータであり、可動片３２は一端が回路基板３５に固定されると共に他端を自由端として固定片３３に接触する接点となっている。
【０００６】
そして、主電路が導通状態にある場合、テストボタン３１の押圧操作により可動片３２の略中央が図５（ｂ）に示すように下方に押圧され、先端に設けた接点が固定片３３に接触してテスト回路が動作する。ところが、主電路開放状態では、図６（ｂ）に示すように上昇位置にあるセパレータ３４に先端が係止されるので、テストボタン３１を押圧操作して可動片３２が押圧されて変形しても固定片３３に接触せず、テスト回路が閉路しない。こうしてテストボタンの動作を不能としていた。
【０００７】
【発明が解決しようとする課題】
しかし、上記マイクロスイッチ２３を用いる構成は、確実な動作をするがマイクロスイッチ自体が高価であるし、設置するスペースも確保しなければならないため好ましい構成ではなかった。また、テストボタン３１の動作を不能とする構成は、別途マイクロスイッチのような素子を設けることなく安価に形成できるが、可動片３２はその先端がセパレータ３４に係止する構成のため、テストボタン３１の押込み量や可動片３２の変形量によってはセパレータ３４の係止が外れてテスト回路が動作不良となったり可動片３２が固定片３３に接触してテスト回路がオン動作してしまう問題があった。また、先端を係止して動作を阻止する構成のため、可動片２３は両端が固定されてテストボタンにより変形されることになり塑性変形をおこして動作が不安定になる問題もあった。
【０００８】
そこで本発明は上記問題点に鑑み、主電路を開放した状態では、テストボタンを操作してもテスト回路のスイッチ部が閉動作しない構成において、スイッチ部が閉動作しない状態でテストボタンを操作してもスイッチ部の可動片に過度の応力が加わることのない漏電遮断器を提供することを課題とする。
【０００９】
【課題を解決するための手段】
上記課題を解決するため、請求項１の発明は、セパレータにより操作される可動接触子と該可動接触子と接離動作する固定接点とから成る接点部を主電路に介在させて、漏電発生時に前記セパレータが前記可動接触子を操作して前記接点部を開動作させて主電路を開放操作すると共に疑似漏電電流を生成するテスト回路を具備し、遮断器操作面に設けたテストボタンの操作により前記テスト回路のスイッチ部が閉動作して漏電遮断テストが可能な漏電遮断器において、前記スイッチ部はテストボタンの押圧力により弾性変形する可動片と該可動片の一部に対向して接点を構成する固定片とから成り、前記可動片は前記セパレータに一端を固着し、他端を自由端としたことを特徴とする。
【００１０】
請求項２の発明は、請求項１の発明において、押圧したテストボタンが当接する部位が可動片の自由端であることを特徴とする。
【００１１】
【発明の実施の形態】
以下、本発明を具体化した実施の形態を、図面に基づいて詳細に説明する。図１乃至図３は本発明に係る漏電遮断器の一例を示し、図１，図２はカバーを外した状態の要部側面図であり、図１は主電路が導通状態である場合、図２は主電路を開放状態とした場合を示している。また、夫々（ａ）はテストボタン未操作の状態、（ｂ）はテストボタンを押圧操作した状態を示している。そして、図３はスイッチ部の一部を成す可動片の側面図を示している。
【００１２】
図において、１は漏電遮断器の基台であり、漏電検出回路やテスト回路を形成した回路基板２が立設配置され、３は図示しないカバーから上部が露出するテストボタン、４はスイッチ部の一方を構成する可動片、５は可動片４に対向配置されてスイッチ部の他方を成す固定片であり、６はテスト回路の一部を成す抵抗を示している。
また、８はセパレータであり、図示しない主電路の開閉操作をする接点部の一方を成す可動接触子を開閉操作する部材であり、主電路の開放操作をした場合、或いは漏電発生によりトリップ動作した際に図示上方に移動して、可動接触子を持ち上げる操作をする。
【００１３】
可動片４は弾性を有する金属板で形成され、図３の拡大図に示すように、略中央に固定片５と接離動作をする接点４ａが突出形成され、図示右側の一端は略直角に２ヶ所互いに逆方向に折曲げ形成されてセパレータ８に固着されている。また図示左側の他端は上方に折曲げられると共に先端部は水平になるよう形成されて自由端を成し、テストボタン３の当接部を形成している。
【００１４】
上記可動片４の作用を説明すると、遮断器がオン状態即ち主電路導通状態では、図１に示すようにセパレータ８が可動接触子（図示せず）を押し下げるため下方に降下し、セパレータ８に固着された可動片４も連動して降下する。そのため、可動片４の接点４ａが対向配置されている固定片５に近づく。この状態でテストボタン３を押圧操作すると、可動片４の先端部が押し込まれて、図１（ｂ）に示すように可動片４の接触部４ａと固定片５は接触する。こうして、テスト回路は閉回路を形成し、疑似漏電電流を生成する。
【００１５】
そして、遮断器がオフの状態即ち主電路開放状態では、図２に示すように可動接触子を持ち上げるためにセパレータ８が上昇し、セパレータ８に固着された可動片４も連動して上昇する。そのため、可動片４の接点４ａが固定片５から大きく離れる。この状態でテストボタン３を押圧操作すると、可動片４の先端部が押し込まれて全体が下方に折曲げられるが、図２（ｂ）に示すように接点４ａが固定片５に接触することはない。その結果、遮断器が主電路に対して逆接続されていても疑似漏電電流は発生しない。
【００１６】
このように、スイッチ部の可動片は係止部材等に可動側端部が係止されて閉動作が阻止されるのではないため、係止が外れる不具合が生じることがなく安定した動作を得ることができる。また、可動片はテストボタンにより自由端が押圧されるので、局部に応力が集中するようなことが無くなり、可動片が弾性の範囲を超えて変形するようなことも無く、安定したボタン操作を持続できる。
【００１７】
【発明の効果】
以上詳述したように、請求項１の発明によれば、可動片を係止する係止部材等を有しないので、係止が外れる等の不具合が生じることがない。従って、遮断器開放時にテスト回路が動作するようなこともない。
【００１８】
請求項２の発明によれば、請求項１の効果に加えて、可動片はテストボタンにより自由端が押圧されるので局部に応力が集中するようなことが無くなり、可動片が弾性の範囲を超えて変形することがなく、安定したボタン操作を持続できる。
【図面の簡単な説明】
【図１】本発明に係る漏電遮断器の実施形態の一例を示し、カバーを外した漏電遮断器の主電路導通時の要部側面説明図であり、（ａ）はテストボタン未操作の状態、（ｂ）はテストボタンを押圧操作した状態を示している。
【図２】図１の漏電遮断器の主電路開放時の要部側面説明図であり、（ａ）はテストボタン未操作の状態、（ｂ）はテストボタンを押圧操作した状態を示している。
【図３】図１の漏電遮断器スイッチ部の可動片を示す拡大側面図である。
【図４】従来の漏電遮断器の回路図であり、テスト回路にマイクロスイッチを設けた構成を示している。
【図５】従来の漏電遮断器を示し、カバーを外した漏電遮断器の主電路導通時の要部側面説明図であり、（ａ）はテストボタン未操作の状態、（ｂ）はテストボタンを押圧操作した状態を示している。
【図６】図５の漏電遮断器の主電路開放時の要部側面説明図であり、（ａ）はテストボタン未操作の状態、（ｂ）はテストボタンを押圧操作した状態を示している。
【符号の説明】
３・・テストボタン、４・・可動片、４ａ・・接点、５・・固定片、８・・セパレータ。
【図１】
0003954342.tif 000002
【図２】
0003954342.tif 000003
【図３】
0003954342.tif 000004
【図４】
0003954342.tif 000005
【図５】
0003954342.tif 000006
【図６】
0003954342.tif 000007